【手続補正書】
【提出日】平成18年12月13日(2006.12.13)
【手続補正１】
【補正対象書類名】明細書
【補正対象項目名】特許請求の範囲
【補正方法】変更
【補正の内容】
【特許請求の範囲】
【請求項１】気体空間、該気体空間に接する塗液貯留部、該塗液貯留部に係合した塗液を吐出するノズルを有する筐体からなる塗布ヘッド、設定圧に維持された圧力を有する気体圧力源、該気体圧力源と前記気体空間とを係合する気体圧力導通路、気体圧力導通路に設けられた圧力の導通を開閉する開閉手段、前記ノズルから吐出される塗液が塗布される被塗布基材、および、前記塗布ヘッドと該基材とを所定の移動速度にて相対移動させる移動手段を備えた塗液の塗布装置を用いて、前記基材に前記ノズルから吐出される塗液を前記移動の方向に塗布する塗液の塗布方法において、初期塗布区間を前記開閉手段を開にした時点から、該時点から２０ｍＳｅｃ．乃至２，０００ｍＳｅｃ．経過した時点までの区間とし、前記初期塗布区間における前記移動速度を初期塗布移動速度Ｖ１とし、定常塗布区間を前記初期塗布区間に続く区間とし、前記定常塗布区間における前記移動速度を定常塗布移動速度Ｖ２としたとき、Ｖ１＜Ｖ２かつＶ１＞０の関係にあることを特徴とする塗液の塗布方法。
【請求項２】終期塗布区間を前記定常塗布区間に続き前記開閉手段を閉にした時点から、該時点から２０ｍＳｅｃ．乃至２，０００ｍＳｅｃ．経過した時点までの区間とし、前記終期塗布区間における前記移動速度を終期塗布移動速度Ｖ３とし、塗布終了区間を前記終期塗布区間に続く区間とし、前記塗布終了区間における前記移動速度を塗布終了移動速度Ｖ４としたとき、Ｖ２＝Ｖ３、および、Ｖ４＝０の関係にあることを特徴とする請求項１に記載の塗液の塗布方法。
【請求項３】前記塗液ヘッドを前記移動方向に対し上下方向に移動させる上下移動手段を有し、前記塗布終了区間において、前記塗布終了速度Ｖ４が、Ｖ４＝０となった時点から、該時点から２，０００ｍＳｅｃ．経過する時点までの間（両端を含む）の時点において、前記上下移動手段により、前記塗液ヘッドが上方に移動することを特徴とする請求項２に記載の塗液の塗布方法。
【請求項４】前記被塗布基材がその表面に所定の長さの凹部を有し、該凹部の長手方向が前記ノズルから吐出される塗液の塗布方向であり、該凹部の窪み部分に塗液の塗布がなされることを特徴とする請求項１乃至３のいずれかに記載の塗液の塗布方法。
【請求項５】前記凹部が複数列設けられていることを特徴とする請求項４に記載の塗液の塗布方法。
【請求項６】請求項５に記載の塗液の塗布方法において、前記塗液を蛍光体を含有するペースト状の塗液とし、前記被塗布基材をプラズマディスプレイ用の発光基材とし、当該基材に当該塗液を塗布してプラズマディスプレイ用発光基板を製造することを特徴とするプラズマディスプレイ用発光基板の製造方法。
【請求項７】気体空間と該気体空間に接する蛍光体を含有するペースト状の塗液貯留部と該塗液貯留部に係合した塗液吐出ノズルを有する筐体からなる塗布ヘッド、設定圧に維持された圧力を有する気体圧力源、該気体圧力源と前記気体空間とを係合する気体圧力導通路、気体圧力導通路に設けられた圧力の導通を開閉する開閉手段、前記ノズルから吐出される前記蛍光体を含有するペースト状の塗液が塗布される複数列の凹部を有する被塗布基材、および、該塗布ヘッドと該基材とを所定の移動速度にて相対移動させる移動手段を備え、前記蛍光体を含有するペースト状の塗液を前記複数列の凹部の窪み部分に塗布するプラズマディスプレイ用発光基板の製造装置において、初期塗布区間を前記開閉手段を開にした時点から、該時点から２０ｍＳｅｃ．乃至２，０００ｍＳｅｃ．経過した時点までの区間とし、前記初期塗布区間における前記移動速度を初期塗布移動速度Ｖ１とし、定常塗布区間を前記初期塗布区間に続く区間とし、前記定常塗布区間における前記移動速度を定常塗布移動速度Ｖ２としたとき、Ｖ１＜Ｖ２かつＶ１＞０の関係になるように、かつ、終期塗布区間を前記定常塗布区間に続き前記開閉手段を閉にした時点から、該時点から２０ｍＳｅｃ．乃至２，０００ｍＳｅｃ．経過した時点までの区間とし、前記終期塗布区間における前記移動速度を終期塗布移動速度Ｖ３とし、塗布終了区間を前記終期塗布区間に続く区間とし、前記塗布終了区間における前記移動速度を塗布終了移動速度Ｖ４としたとき、Ｖ２＝Ｖ３、および、Ｖ４＝０の関係になるように前記移動速度を制御する手段を備えたことを特徴とするプラズマディスプレイ用発光基板の製造装置。
【請求項８】前記塗液ヘッドを前記移動方向に対し上下方向に移動させる上下移動手段を有し、前記塗布終了区間において、前記塗布終了速度Ｖ４が、Ｖ４＝０となった時点から、該時点から２，０００ｍＳｅｃ．経過する時点までの間（両端を含む）の時点において、前記上下移動手段により、前記塗布ヘッドが上方に移動せしめられることを特徴とする請求項７に記載のプラズマディスプレイ用発光基板の製造装置。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
【課題を解決するための手段】
上記目的を達成するために、第１の本発明に係る塗液の塗布方法は、気体空間、該気体空間に接する塗液貯留部、該塗液貯留部に係合した塗液を吐出するノズルを有する筐体からなる塗布ヘッド、設定圧に維持された圧力を有する気体圧力源、該気体圧力源と前記気体空間とを係合する気体圧力導通路、気体圧力導通路に設けられた圧力の導通を開閉する開閉手段、前記ノズルから吐出される塗液が塗布される被塗布基材、および、前記塗布ヘッドと該基材とを所定の移動速度にて相対移動させる移動手段を備えた塗液の塗布装置を用いて、前記基材に前記ノズルから吐出される塗液を前記移動の方向に塗布する塗液の塗布方法において、初期塗布区間を前記開閉手段を開にした時点から、該時点から２０ｍＳｅｃ．乃至２，０００ｍＳｅｃ．経過した時点までの区間とし、前記初期塗布区間における前記移動速度を初期塗布移動速度Ｖ１とし、定常塗布区間を前記初期塗布区間に続く区間とし、前記定常塗布区間における前記移動速度を定常塗布移動速度Ｖ２としたとき、Ｖ１＜Ｖ２かつＶ１＞０の関係にあることを特徴とする（請求項１）。
【手続補正５】
【補正対象書類名】明細書
【補正対象項目名】００１０
【補正方法】変更
【補正の内容】
【００１０】
この第１の本発明において、初期塗布区間が、前記開閉手段を開にした時点から、該時点から５０ｍＳｅｃ．乃至１，０００ｍＳｅｃ．経過した時点までの区間であることが好ましい。
【手続補正６】
【補正対象書類名】明細書
【補正対象項目名】００１１
【補正方法】変更
【補正の内容】
【００１１】
この第１の本発明により、被塗布基材上に形成される塗液の塗着部の始端部形状の切れがより良くなる作用がもたらされる。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
上記目的を達成するために、第２の本発明に係る塗液の塗布方法は、上記第１の本発明において、終期塗布区間を前記定常塗布区間に続き前記開閉手段を閉にした時点から、該時点から２０ｍＳｅｃ．乃至２，０００ｍＳｅｃ．経過した時点までの区間とし、前記終期塗布区間における前記移動速度を終期塗布移動速度Ｖ３とし、塗布終了区間を前記終期塗布区間に続く区間とし、前記塗布終了区間における前記移動速度を塗布終了移動速度Ｖ４としたとき、Ｖ２＝Ｖ３、および、Ｖ４＝０の関係にあることを特徴とする（請求項２）。
【手続補正１２】
【補正対象書類名】明細書
【補正対象項目名】００１７
【補正方法】変更
【補正の内容】
【００１７】
この第２の本発明に係る塗液の塗布方法において、前記終期塗布区間が、前記定常塗布区間に続き前記開閉手段を閉にした時点から、該時点から５０ｍＳｅｃ．乃至１，０００ｍＳｅｃ．経過した時点までの区間であることが好ましい。
【手続補正１３】
【補正対象書類名】明細書
【補正対象項目名】００１８
【補正方法】変更
【補正の内容】
【００１８】
また、この第２の本発明において、前記移動手段を前記移動方向に対し上下方向に移動させる上下移動手段を有し、前記塗布終了区間において、前記塗布終了速度Ｖ４が、Ｖ４＝０となった時点から、該時点から２，０００ｍＳｅｃ．経過する時点までの間（両端を含む）の時点において、前記上下移動手段により、前記ノズルが上方に移動せしめられることが好ましい（請求項３）。
【手続補正１４】
【補正対象書類名】明細書
【補正対象項目名】００１９
【補正方法】変更
【補正の内容】
【００１９】
この第２の本発明により、被塗布基材上に形成される塗液の塗着部の始端部および終端部形状の切れがより良くなる作用がもたらされる。
【手続補正１５】
【補正対象書類名】明細書
【補正対象項目名】００２０
【補正方法】変更
【補正の内容】
【００２０】
上記目的を達成するために、第３の本発明に係る塗液の塗布方法は、上記第１または第２の本発明に係る塗液の塗布方法において、前記被塗布基材がその表面に所定の長さの凹部を有し、該凹部の長手方向が前記ノズルから吐出される塗液の塗布方向であり、該凹部の窪み部分に塗液の塗布がなされることを特徴とする（請求項４）。
【手続補正１６】
【補正対象書類名】明細書
【補正対象項目名】００２１
【補正方法】変更
【補正の内容】
【００２１】
この第３の本発明において、前記凹部が複数列設けられていることが好ましい（請求項５）。
【手続補正１７】
【補正対象書類名】明細書
【補正対象項目名】００２２
【補正方法】変更
【補正の内容】
【００２２】
この第３の本発明により、被塗布基材上に形成された凹部への塗液の塗着部の始端部および／または終端部形状の切れが良くなる作用がもたらされる。
【手続補正１８】
【補正対象書類名】明細書
【補正対象項目名】００２３
【補正方法】変更
【補正の内容】
【００２３】
上記目的を達成するために、第４の本発明に係るプラズマディスプレイ用発光基板の製造方法は、上記第３の本発明において、前記塗液を蛍光体を含有するペースト状の塗液とし、前記被塗布基材をプラズマディスプレイ用の発光基材とし、当該基材に当該塗液を塗布してプラズマディスプレイ用発光基板を製造することを特徴とする（請求項６）。
【手続補正１９】
【補正対象書類名】明細書
【補正対象項目名】００２４
【補正方法】変更
【補正の内容】
【００２４】
この第４の本発明により、被塗布基材上に設けられた複数列の凹部に形成される蛍光体を含有するペースト状の塗液の塗着部の始端部および終端部形状の切れが良くなる作用がもたらされる。
【手続補正２０】
【補正対象書類名】明細書
【補正対象項目名】００２５
【補正方法】変更
【補正の内容】
【００２５】
上記目的を達成するために、第５の本発明に係るプラズマディスプレイ用発光基板の製造装置は、気体空間と該気体空間に接する蛍光体を含有するペースト状の塗液貯留部と該塗液貯留部に係合した塗液吐出ノズルを有する筐体からなる塗布ヘッド、設定圧に維持された圧力を有する気体圧力源、該気体圧力源と前記気体空間とを係合する気体圧力導通路、気体圧力導通路に設けられた圧力の導通を開閉する開閉手段、前記ノズルから吐出される前記蛍光体を含有するペースト状の塗液が塗布される複数列の凹部を有する被塗布基材、および、該塗布ヘッドと該基材とを所定の移動速度にて相対移動させる移動手段を備え、前記蛍光体を含有するペースト状の塗液を前記複数列の凹部の窪み部分に塗布するプラズマディスプレイ用発光基板の製造装置において、初期塗布区間を前記開閉手段を開にした時点から、該時点から２０ｍＳｅｃ．乃至２，０００ｍＳｅｃ．経過した時点までの区間とし、前記初期塗布区間における前記移動速度を初期塗布移動速度Ｖ１とし、定常塗布区間を前記初期塗布区間に続く区間とし、前記定常塗布区間における前記移動速度を定常塗布移動速度Ｖ２としたとき、Ｖ１＜Ｖ２かつＶ１＞０の関係になるように、かつ、終期塗布区間を前記定常塗布区間に続き前記開閉手段を閉にした時点から、該時点から２０ｍＳｅｃ．乃至２，０００ｍＳｅｃ．経過した時点までの区間とし、前記終期塗布区間における前記移動速度を終期塗布移動速度Ｖ３とし、塗布終了区間を前記終期塗布区間に続く区間とし、前記塗布終了区間における前記移動速度を塗布終了移動速度Ｖ４としたとき、Ｖ２＝Ｖ３、および、Ｖ４＝０の関係になるように前記移動速度を制御する手段を備えたことを特徴とする（請求項７）。
【手続補正２１】
【補正対象書類名】明細書
【補正対象項目名】００２６
【補正方法】変更
【補正の内容】
【００２６】
この第５の本発明において、前記初期塗布区間が、前記開閉手段を開にした時点から、該時点から５０ｍＳｅｃ．乃至１，０００ｍＳｅｃ．経過した時点までの区間であり、かつ、前記終期塗布区間が、前記定常塗布区間に続き前記開閉手段を閉にした時点から、該時点から５０ｍＳｅｃ．乃至１，０００ｍＳｅｃ．経過した時点までの区間であることが好ましい。
【手続補正２２】
【補正対象書類名】明細書
【補正対象項目名】００２７
【補正方法】変更
【補正の内容】
【００２７】
また、この第５の本発明において、前記移動手段を前記移動方向に対し上下方向に移動させる上下移動手段を有し、前記塗布終了区間において、前記塗布終了速度Ｖ４が、Ｖ４＝０となった時点から、該時点から２，０００ｍＳｅｃ．経過する時点までの間（両端を含む）の時点において、前記上下移動手段により、前記ノズルが上方に移動せしめられることが好ましい（請求項８）。
【手続補正２３】
【補正対象書類名】明細書
【補正対象項目名】００２８
【補正方法】変更
【補正の内容】
【００２８】
この第５の本発明により、被塗布基材上に設けられた複数列の凹部に形成される蛍光体を含有するペースト状の塗液の塗着部の始端部および終端部形状の切れが良くなる作用がもたらされる。